(57)【要約】【課題】この発明は、沈砂池とこの沈砂池の主たる水流の方向とは交差する方向に沿って且つこの沈砂池の外方に向かって延びる排砂通路とを連通する開口部から排砂する場合でも、沈砂池に堆積した土砂を隈無く開口部まで導くことができる排砂機構を提供することを課題とする。【解決手段】沈砂池２の水位を下げることで、段差部１１の段差立面１２を沈砂池２の底部９を流れる主たる水流に対して障壁として機能させ、この段差立面１２に沿って開口部１４に向けて流れる副次的な水流を形成した場合に、沈砂池２のうち段差部１１よりも上流側の底部９上に堆積したままの土砂に対して、水流左右方向偏流置１７により沈砂池２を流れる主たる水流の向きを残置した土砂側に変更することで、この土砂を前記副次的な水流まで押し流してこの副次的な水流に乗せることにより、開らかれた排砂ゲート１５から開口部１４を介して排砂通路３へと土砂を排出させる。【選択図】図２
2011006995.tif 000002
【特許請求の範囲】
【請求項１】
河川に対し取水口より取り込んだ水の勢いを減滅させることにより取水から土砂を除去する排砂機構であって、
前記取水口側を上流側とし、この取水口よりも離れた側を下流側として、その間に主たる水流を形成することができる沈砂池と、
この沈砂池に堆積した土砂を排出するためのもので、前記沈砂池の主たる水流の方向とは交差する方向に沿って且つ前記沈砂池の外方に向かって延びると共に、前記沈砂池とは開口部を介して連通した排砂通路と、
前記開口部を開閉する排砂ゲートと、
前記沈砂池のうち最も下流側の領域にて前記底部の一部を上方に隆起させることで形成された段差部と、
前記沈砂池のうち前記段差部よりも上流側に位置すると共に、一方側が前記開口部に連なっており、前記段差部以外の底部と前記段差部の底部との境界に位置する段差立面が前記主たる水流の流れに対して障壁となり、この段差立面に沿って前記開口部に向かって流れる副次的な水流が形成される排砂用窪部と、
この排砂用窪部よりも上流側に配置されて前記沈砂池に向かう主たる水流の向きを左右方向に偏流させることができる水流左右方向偏流装置と
を有して構成されたことを特徴とする排砂機構。
【請求項２】
前記水流左右方向偏流装置は、前記沈砂池の底部に回転可能に取り付けられた回転軸部と、この回転軸部から当該回転軸部の径方向に延出した板状部と、この板状部の延出方向の先端から底部側に延びて、底部に前記回転軸部を中心点とした円弧状に延びるガイド溝孔に挿入された突起部とを少なくとも有して構成されたことを特徴とする請求項１に記載の排砂機構。
【請求項３】
前記水流左右方向偏流装置よりも上流側に配置されることで前記沈砂池に流れる主たる水流の方向を上下方向に変更させることができる水流上下方向変更装置を有することを特徴とする請求項１又は請求項２に記載の排砂機構。
【請求項４】
前記水流左右方向偏流装置と前記排砂用窪部との間に、土砂による重圧を検出することができる圧力センサが配置されていることを特徴とする請求項１、請求項２又は請求項３のいずれかに記載の排砂機構。
【発明の詳細な説明】
【技術分野】
【０００１】
この発明は、例えば河川の水を取り込むための取水路の上流側域と下流側域との間に設けた沈砂池から排砂するための機構に関する。
【背景技術】
【０００２】
水路式水力発電所では、例えば特許文献１の図７に示されるように、河川の流水方向に沿って延びる側方岸に取水口を設け、この取水口から河川の水を取り込む取水方式が一般に行われている。
【０００３】
これに伴い、河川からの水に含まれる土砂等も合わせて取水口より取り込んでしまう可能性があり、このまま土砂を導水路、水圧鉄管及び発電所の水車まで流入させると、土砂による水車等の磨耗や、導水路内等への沈滞により途中水路の通水面積を狭めてしまい、これらの通水機能を維持することができないことから、例えば特許文献２に示されるように、取水口よりも下流側で且つ導水路の上流側となる箇所に沈砂池を設け、河川から取り込まれた水に含まれる土砂をこの沈砂池で沈殿させることも行われている。
【０００４】
そして、例えば上記した特許文献２に示されるように、沈殿した土砂の沈砂池への堆積量が一定以上となった場合に、土砂を沈砂池から排除するにあたり、揚砂装置を用いて沈砂池の底から水上に揚げることが行われている。また、例えば特許文献３に示されるように沈砂池に排砂ゲートを設け、沈砂池に土砂が所定量以上に堆積した場合には排砂ゲートを開いて、排砂ゲートから沈砂池外に排砂する方法も行われている。
【０００５】
その一方で、例えば特許文献４に示されるように、上記沈砂池ではなく流水路上に配置されるものであるが、この流水路内に立設した支点部と、この支点部に回転可能に設置された板材とで構成された排砂促進装置の発明が本願の特許出願人によって出願されて公知となっており、この排砂促進装置を用いることによって、板材の回転角を変えて流水路における流れの方向を変化させることで人工的に流速の大きい領域を流路内に発生させ、この流路内に堆積した土砂をこの流速が大きくなった流れにより下流側に流下させることを可能としている。
【先行技術文献】
【特許文献】
【０００６】
【特許文献１】特開２００５−２９９２４６号公報
【特許文献２】特開２００５−１４６６０３号公報
【特許文献３】特開２００２−３４８８３９号公報
【特許文献４】特開２００７−１０７２２９号公報
【発明の概要】
【発明が解決しようとする課題】
【０００７】
しかしながら、特許文献２に示されるように、揚砂装置を用いて沈砂池の底から水上に揚げる方法では、土砂以外の不純物、例えば落ち葉や空き缶等も一緒に揚げてしまい、排砂効率に不具合を有していた。
【０００８】
また、特許文献３に示されるように排砂ゲートを用いる構成では、沈砂池の水位が相対的に高い状態で排砂ゲートを開いても、沈砂池の排砂ゲートに対し直近の上流側領域の僅かな範囲しか排砂することができない。発電所の断水作業に同調して沈砂池の水位を相対的に下げ、排砂ゲートから排砂を行うにしても、沈砂池の形状や底部の勾配により排砂ゲートから流出する水の流れは一定方向となり、また水圧に強弱が生ずるので、この排砂ゲートを開いて沈砂池外に排砂する方法のみでは沈砂池に堆積した土砂全体を排砂することが困難である。従って、沈砂池に堆積した土砂を人力や重機等で排砂ゲートに向かう水流のある水域側に寄せる等の排砂補助作業が必要となっていた。
【０００９】
そして、沈砂池内での水流の方向を変化させるのに特許文献４に示される排砂促進装置を用いることも考えられるが、沈砂池の主たる水流の下流側に開口部が位置せず、沈砂池の主たる水流の方向に沿って延びる側方岸に開口部が形成されている構成の場合には、沈砂池に堆積した土砂を排出するために、単に土砂を沈砂池の下流側域に押し流すのみでは不十分である。
【００１０】
そこで、本発明は、沈砂池とこの沈砂池の主たる水流の方向とは交差する方向に沿って且つこの沈砂池の外方に向かって延びる排砂通路とを連通する開口部から排砂する場合でも、沈砂池に堆積した土砂を隈無く開口部まで導くことができる排砂機構を提供することを目的とする。
【課題を解決するための手段】
【００１１】
この発明に係る排砂機構は、河川に対し取水口より取り込んだ水の勢いを減滅させることにより取水から土砂を除去する排砂機構であって、前記取水口側を上流側とし、この取水口よりも離れた側を下流側として、その間に主たる水流を形成することができる沈砂池と、この沈砂池に堆積した土砂を排出するためのもので、前記沈砂池の主たる水流の方向とは交差する方向に沿って且つ前記沈砂池の外方に向かって延びると共に、前記沈砂池とは開口部を介して連通した排砂通路と、前記開口部を開閉する排砂ゲートと、前記沈砂池のうち最も下流側の領域にて前記底部の一部を上方に隆起させることで形成された段差部と、前記沈砂池のうち前記段差部よりも上流側に位置すると共に、一方側が前記開口部に連なっており、前記段差部以外の底部と前記段差部の底部との境界に位置する段差立面が前記主たる水流の流れに対して障壁となり、この段差立面に沿って前記開口部に向かって流れる副次的な水流が形成される排砂用窪部と、この排砂用窪部よりも上流側に配置されて前記沈砂池に向かう主たる水流の向きを左右方向に偏流させることができる水流左右方向偏流装置とを有して構成されたことを特徴としている（請求項１）。
【００１２】
これにより、特に沈砂池の水位を段差部の底部が水面に相対的に近接するように浅くなるまで下げることによって、段差部の段差立面が沈砂池を流れる主たる水流に対して障壁となって、排砂用窪部に対しこの段差立面に沿って開口部に向けて流れる副次的な水流を形成した場合に、主たる水流の流域から外れ、又は主たる水流の水圧が相対的に小さいために、沈砂池のうち排砂用窪部まで達せずその上流側の底部上に堆積したままの土砂に対しては、水流左右方向偏流装置により主たる水流の向きの一部をこの土砂側に偏らせることで、この土砂を排砂用窪部の副次的な水流の流域まで押し流してこの副次的な水流に乗せることができる。
【００１３】
そして、前記水流左右方向偏流装置は、前記沈砂池の底部に回転可能に取り付けられた回転軸部と、この回転軸部から当該回転軸部の径方向に延出した板状部と、この板状部の延出方向の先端から底部側に延びて、底部に前記回転軸部を中心点とした円弧状に延びるガイド溝孔に挿入された突起部とを少なくとも有して構成されたことを特徴としている（請求項２）。水流左右方向偏流装置の板状部の揺動は、手動によっても機械制御によっても良い。これにより、回転軸を回転させて板状部を揺動しその側面に沈砂池に向かって流れる取水を当てることで、沈砂池に向かって流れる主たる水流のうちの一部について任意の方向に偏らせることができる。
【００１４】
また、この発明に係る排砂機構は、前記水流左右方向偏流装置よりも上流側に配置されることで前記沈砂池に流れる主たる水流の方向を上下方向に変更させることができる水流上下方向変更装置を有することを特徴としている（請求項３）。これにより、沈砂池に向かって流れる取水について、沈砂池のうち排砂用窪部まで達せずその上流側の底部上に堆積したままの土砂に向ける水量を相対的に多くすることができる。
【００１５】
更に、この発明に係る排砂機構は、前記水流左右方向偏流装置と前記排砂用窪部との間に、土砂による重圧を検出することができる圧力センサが配置されていることを特徴としている（請求項４）。これにより、沈砂池の底部に堆積したままの土砂の有無や位置を目視によらずに確認することができるので、土砂の排出残しを防止することが可能となる。
【発明の効果】
【００１６】
以上のように、この発明によれば、特に沈砂池の水位を段差部の底部が水面に相対的に近接するように浅くなるまで下げることにより、沈砂池を流れる主たる水流に対する障壁として段差部の段差立面を機能させ、排砂用窪部に対しこの段差立面に沿って開口に向けて流れる副次的な水流を形成した場合に、沈砂池のうち排砂用窪部まで達せずその上流側の底部上に堆積したままの土砂に対しては、水流左右方向偏流装置により主たる水流の向きの一部をこの土砂側に偏らせ、この土砂を副次的な水流の流域まで押し流して副次的な水流に乗せると共に排砂ゲートを開くことで、開口部から沈砂池外に土砂を隈なく且つ確実に排出することが可能である。
【００１７】
特に請求項２に記載の発明によれば、相対的に簡易な構造である水流左右方向変更装置を用いて、回転軸を回転させて板状部を揺動しその側面に沈砂池に向かって流れる取水を当てることで、沈砂池を流れる主たる水流のうち少なくともその一部について任意の方向に偏らせることができるので、排砂機構全体の製造コストの削減を図ることができる。
【００１８】
特に請求項３に記載の発明によれば、沈砂池に向かって流れる取水について、沈砂池のうち排砂用窪部まで達せずその上流側の底部上に堆積したままの土砂に向ける水量を相対的に多くすることができるので、堆積したままの土砂を副次的な水流の流域まで押し流して副次的な水流に乗せた後、開口部から排砂通路へと排出する所作をより一層確実に行うことができる。
【００１９】
特に請求項４に記載の発明によれば、沈砂池の底部に堆積したままの土砂の有無や位置を目視によらずに確認することができるので、土砂の排出残しを防止することが可能となる。また、排砂ゲートの開閉、水流左右方向偏流装置、及び水流上下方向変更装置の動作も自動化することにより、沈砂池の水位低下のステップ、排砂ゲートの開放のステップ、沈砂池内の土砂の有無の判定のステップ、土砂の位置の確認のステップ、検出した土砂への水流左右方向偏流装置及び水流上下方向変更装置による主たる水流を偏らせる方向調整のステップ、沈砂池内の残存土砂の有無の判定のステップ、及び土砂への水流左右方向偏流装置及び水流上下方向変更装置の稼動の停止のステップを自動制御によるシステム化することが可能となる。
【図面の簡単な説明】
【００２０】
【図１】図１は、取水路の途中に沈砂池が配置されていると共にこの沈砂池及びその上流側近傍部位にこの発明に係る排砂機構を配置した概略構成を示す平面図である。
【図２】図２は、同上の沈砂池及びその上流側近傍部位に配置された排砂機構の概略構成を示す断面図である。
【図３】図３は、排砂機構のうち特に水流左右方向偏流装置であって機械的に板状部を揺動可能なタイプの概略構成を示す説明図であり、図３（ａ）は同上の水流左右方向偏流装置の水上部分の平面図、図３（ｂ）は同上の水流左右方向偏流装置を側方から見た状態の一部断面図、図３（ｃ）は同上の水流左右方向偏流装置の水中部分の底部図である。
【図４】図４は、沈砂池のうち段差部より上流側に土砂が堆積したままの場合の水流左右方向偏流装置による取水の偏らせ方を示す説明図であり、図４（ａ）は、水流左右方向偏流装置の水上部分の説明図、図４（ａ）は、水流左右方向偏流装置の水中部分の説明図である。
【図５】図５は、排砂処理をコンピュータ制御で行う際の工程の一例を示すフローチャートである。
【図６】図６は、図３の水流左右方向偏流装置に対する変形例として、水流左右方向偏流装置のうち板状部の揺動を手動式にしたタイプの概略構成を示す一部断面図である。
【発明を実施するための形態】
【００２１】
以下、この発明の実施形態の一例を図面に基づいて説明する。
【００２２】
図１及び図２において、図示しない取水口により河川から取り込まれた取水が流れる取水路１と、この取水路１の途中に位置する沈砂池２と、この沈砂池２で堆積した土砂を沈砂池２から排出するための排砂通路３と、排砂通路３を通ってきた土砂が堆積される貯砂池４とが示されている。
【００２３】
取水路１は、図１及び図２に示されるように、当該図１で矢印にて示される取水の主たる水流の方向に沿って延びる例えばコンクリート製の側方岸５、５と同じく取水の主たる水流の水方向に沿って延びる例えばコンクリート製の底部６とで囲まれたもので、この実施例では、図１に示されるように沈砂池よりも上流側域１ａでは略同じ内幅となっているが、沈砂池よりも下流側域１ｂでは暫時その内幅が狭くなった後、この相対的に狭い内幅の状態で更に下流側に向かって延びた構成となっている。そして、この実施例では、取水路の沈砂池よりも上流側域１ａは、図２に示されるように例えば少なくとも外面側がコンクリート製の覆構造体７により上方が覆われてその水面が露出しないようになっており、取水路の沈砂池よりも下流側域１ｂは隆起状部分８の下方を通るトンネルになっている。更に、取水路１の沈砂池よりも上流側域１ａの底部６の底面は、沈砂池２よりも離れた側から沈砂池２に向かうに従って下方に傾斜する傾斜面となっている。
【００２４】
沈砂池２は、この実施例では、その上流側が取水路の上流側域１ａと連続し、その下流側が取水路の下流側域１ｂと連続しているもので、取水路の上流側域１ａの底部６の最も下流側の底面と連続した底面を有する底部９と、この底部９から水上に向けて立設したもので例えばコンクリート製であると共に上方から見た形状が略四角形状となっている枠体１０とを有して構成されており、枠体１０で囲まれた枠内は上方に向けて開口した開口部２ａとなっている。そして、この枠体１０は、図２、図３、図４（ｂ）及び図５に示されるように、取水路１の側方岸５や覆構造体７と連続した構成としても良いものである。
【００２５】
沈砂池２のうち取水路の下流側域１ｂ側と近接する部分は、その底面が沈砂池２の底部９の他の部分の底面よりも上方に隆起した状態とすることで、図２及び図４に示されるように、底部９の通常の底面よりも相対的に高い底面を有する段差部１１が形成されていると共に、この段差部１１と底部９との間には沈砂池２の幅方向に沿って延びる段差立面１２が形成されている。また、沈砂池２の底部９のうち段差立面１２に対しその直ぐ上流側部位には、底部９のうち段差部１１以外の他の部分の底面よりも下方に窪ませて成る排砂用窪部１３が形成されており、この排砂用窪部１３は段差立面１２に臨みつつ沈砂池２の幅方向に沿って延びている。さらに、排砂用窪部１３のうち排砂通路３側は、排砂用窪部１３と排砂通路３との境界部位に位置する開口部１４と連通していると共に、この開口部１４を開閉するための排砂ゲート１５が設けられている。
【００２６】
これにより、取水路１を流れる取水量を減少させ、沈砂池２の水位を低くした場合には、段差立面１２が沈砂池２から取水路の下流側域１ｂへの取水の主たる流れに対して障壁となり、排砂用窪部１３内を段差立面１２に沿って流れて開口部１４側へと向かう取水の副次的な流れが形成される。
【００２７】
ところで、この実施例では、取水路１と沈砂池２との境界部分において、図１から図４に示されるようにこの発明の排砂機構を構成する水流左右方向偏流装置１７の一例が設けられている。
【００２８】
この水流左右方向偏流装置１７は、特に図３に示されるように、駆動源たるモータ１８と、揺動部１９と、モータ１８の動力を揺動部１９に伝達する伝達機構２０とを有して構成されている。
【００２９】
このうち、モータ１８は、図２及び図３（ａ）に示されるように、覆構造体７の上面に載置されていると共に下記する制御部４０からの出力信号によりモータ１８のＯＮ／ＯＦＦや回転方向が制御される。また、揺動部１９は、図３（ｂ）、図３（ｃ）及び図４（ｂ）に示されるように、後述する回転軸部３１の長手方向の下方側端部が挿入され、この回転軸部３１と一体的に回転するように連結されるホルダ部２１と、このホルダ部２１から回転軸部３１の径方向に沿って延出した板状部２２と、この板状部２２の延出方向の先端から沈砂池２の底部９側に延びた突起部２３と、底部９にて回転軸部３１を中心点とした円弧状に延びることで、突起部２３がその延出方向に沿って移動可能なるガイド溝孔２４とで構成されている。
【００３０】
更に、伝達機構２０は、その一例を示すと、モータ１８から略水平方向に延びる動力伝達軸棒２６の先端に設けられた傘歯車２７と、この傘歯車２７に対して例えば９０度ほど変向した位置にあり且つこの傘歯車２７と噛み合うことができる傘歯車２８と、この傘歯車２８に対してその回転中心を通る直線的な基準線上に回転中心が位置して傘歯車２８の回転が伝達される略円板状の歯車２９と、歯車２９に対しその径方向に沿った方向に位置し且つこの歯車２９と噛み合うことができる略円板状の歯車３０と、一方端側部位が歯車３０の中心点を通るように且つ歯車３０と同期して回転するように歯車３０と連結され、他方端側部位が揺動部１９のホルダ部２１に挿入、固定された回転軸部３１とで構成されている。
【００３１】
そして、伝達機構２０は、傘歯車２８と歯車２９とが回転軸部３２により一体的に回転するように連結されていると共に回転軸部３２は覆構造体７の地表側に回転可能に取り付けられている。また、伝達機構２０のうち回転軸部３１は、沈砂池２内に向けて鉛直方向に沿って延びていると共に枠体１０の沈砂池側の側面に突出した支持持部３３により支持されている。
【００３２】
水流左右方向偏流装置１７を上記の構成としたことにより、揺動部１９を構成するホルダ部２１、板状部２２、及び突起部２３を、沈砂池２及び取水路の上流側域１ａのうち沈砂池２との境界部位に配置することが可能となり、沈砂池２のうち排砂用窪部１３よりも上流側に堆積したままの土砂に対して取水の主たる水流の一部を偏流させてその取水を当てやすくすることができる。
【００３３】
更に、この実施例では、水流左右方向偏流装置１７よりも上流側となる取水路の上流側域１ａにおいて、排砂機構を構成する水流上下方向可変装置３５が配置されている。この水流上下方向可変装置３５は、モータ３６と回転軸３７と板状部３８とで構成されている。このうち、モータ３６は下記する制御部４０からの信号によりモータ３６のＯＮ／ＯＦＦや回転方向が制御される。板状部３８は、回転軸３７の径方向に沿って延出しているもので、回転軸３７にモータ３６から動力が伝達されることにより板状部３８が上下に揺動可能となっている。
【００３４】
これにより、取水路の上流側域１ａの取水を水流左右方向偏流装置１７の揺動部１９側に案内しやくすくなり、水流左右方向偏流装置１７により沈砂池２のうち排砂用窪部１３よりも上流側の底部９側に堆積したままの土砂に送られる水量を相対的に多くすることが可能となる。
【００３５】
更にまた、この実施例では、沈砂池２の底部９の底面のうち排砂用窪部１３よりも上流側には圧力センサ４１が面状に配置されており、この圧力センサ４１により堆積した土砂の有無や位置を検出することが可能となっている。
【００３６】
制御部４０は、上記したように水流左右方向偏流装置１７のモータ１８及び水流上下方向可変装置３５のモータ３６の制御をこれらのモータ１８、３６に出力信号を送ることで行っているもので、例えば、図示しない中央演算処理装置（ＣＰＵ）、読出専用し専用メモリ（ＲＯＭ）、ランダムアクセスメモリ（ＲＡＭ）、入出力ポート（Ｉ／Ｏ）等を備えると共に、モータ１８、３６を駆動制御する駆動回路等を有して構成され、土砂の有無や位置についての圧力センサ４１からの信号が入力されるようになっている。
【００３７】
図５において、制御部４０による沈砂池２からの排砂機構を利用しての排砂処理例のプログラムがフローチャートとして示されており、以下においてこのフローチャートに基づき沈砂池２からの排砂処理例のプログラムを説明する。
【００３８】
このプログラムは、ステップ１０１からスタートするもので、次のステップ１０２において所定の方法で取水路１に取水される水量を減少させることにより沈砂池２の水位を下げる。次に、沈砂池２の水位が段差部１１の段差立面１２の底面と略同じ位置（図２において一点鎖線で指標。）くらいまで下がったかどうかをステップ１０３で判定し、沈砂池２の水位が段差部１１の段差立面１２の底面と略同じ位置くらいまで下がったと判定した場合にはステップ１０４に進み排砂ゲート１５を開放する。これに対し、沈砂池２の水位が段差部１１の段差立面１２の底面と略同じくらいまで下がっていないと判定した場合には、ステップ１０２に戻り沈砂池２の水位の低下を続ける。
【００３９】
そして、圧力センサ４１からの入力信号に基づき、沈砂池２のうち排砂用窪部１３よりも上流側に土砂があるか否かをステップ１０５で判定し、土砂があると判定した場合にはステップ１０６に進み上記圧力センサ４１からの入力信号に基づき土砂の位置を確認する。次に、制御部４０から水流左右方向偏流装置１７のモータ１８及び水流上下方向可変装置３５のモータ３６に出力信号を送ってこれらのモータ１８、３６をＯＮにし、水流左右方向偏流装置１７及び水流上下方向可変装置３５を稼動して、水流上下方向可変装置３５にあっては回転軸３７を回転して板状部３８が下方を向くようにし、水流左右方向偏流装置１７にあっては揺動部１９の板状部２２を左右方向のいずれかの方向に揺動し、取水路の上流側域１ａからの取水が圧力センサ４１で検出された土砂に向かうように調整する。これにより、ステップ１０７で砂池２のうち排砂用窪部１３よりも上流側にある土砂に取水が当てられて、土砂が排砂用窪部１３に落ち、更に、排砂ゲート１５から排砂通路３ひいては貯砂池４と送られる。尚、ステップ１０５で、沈砂池２のうち排砂用窪部１３よりも上流側に土砂がないと判定した場合には、ステップ１１０に進み、終了することとなる。
【００４０】
更に、ステップ１０８では、ステップ１０７の動作によっても沈砂池２のうち排砂用窪部１３よりも上流側に土砂がまだ残っているか否かを圧力センサ４１からの入力信号により確認し、土砂が残っていないと判定した場合には、ステップ１０９に進んで制御部４０から水流左右方向偏流装置１７のモータ１８及び水流上下方向可変装置３５のモータ３６に出力信号を送ってこれらのモータ１８、３６をＯＦＦにし、水流左右方向偏流装置１７及び水流上下方向可変装置３５を停止させた後、ステップ１１０に進み終了する。尚、ステップ１０９で土砂がまだ残っていると判定された場合には、ステップ１０６まで戻り、土砂の位置を圧力センサ４１からの入力信号に基づいて確認して、先述と同様のステップ１０７、１０８の過程を経る。
【００４１】
これにより、本願の排砂機構は、排砂用池からの排砂処理を作業員による手動制御を介さずに全てを自動制御により行うことが可能である。
【００４２】
但し、本願の排砂機構は、必ずしも上述した構成のものに限定されず、且つ手動で制御するものであっても良い。以下、手動で制御する排砂機構の一例について図６を用いて説明する。但し、先の実施例と同様の構成については同一の符号を付してその説明を省略する。
【００４３】
図６に示される排砂機構は、水流左右方向偏流装置１７を有して構成されるもので、この水流左右方向偏流装置１７は、揺動部１９の構成については先の実施例と同様であり、且つ伝達機構２０として回転軸部３１を有する点では共通するが、この実施例では、回転軸部３１の上端側部位にハンドル４２を有したものとなっている。
【００４４】
このような構成により、作業員がハンドル４２を持って回転軸部３１を軸心として左右方向に回転させることにより、回転軸部３１から揺動部１９の板状部２２にその回転が伝達されて、板状部２２が回転軸部３１を軸心として左右方向に回転し、取水路の上流側域１ａからの取水の向きを任意の方向に変えることが可能となる。よって、この実施例においては、ハンドル４２を操作するのみで、取水路の上流側域１ａからの取水の向きを沈砂池２のうち排砂用窪部１３よりも上端側に堆積した土砂に向け、かかる取水を排砂用窪部１３に落とすことができることから、沈砂池２からの土砂の排除が確実化し、土砂の排出残しをなくすことが可能となる。
【符号の説明】
【００４５】
１  取水路
１ａ  沈砂池よりも上流側域
１ｂ  沈砂池よりも下流側域
２  沈砂池
３  排砂通路
５  側方岸
６  底部
９  底部
１１  段差部
１２  段差立面
１３  排砂用窪部
１４  開口部
１５  排砂ゲート
１７  水流左右方向偏流装置
１９  揺動部
２０  伝達機構
２１  ホルダ部
２２  板状部
２３  突起部
２４  ガイド溝孔
３１  回転軸部
３５  水流上下方向可変装置
４０  制御部
４１  圧力センサ
【図１】
2011006995.tif 000003
【図２】
2011006995.tif 000004
【図３】
2011006995.tif 000005
【図４】
2011006995.tif 000006
【図５】
2011006995.tif 000007
【図６】
2011006995.tif 000008